(57)【要約】      （修正有）【課題】軽量で、強度を有し、しかも嵩張らずに簡単に運搬することが可能なポール体を提供する。【解決手段】組立式ポール１は、中空のポール本体２を、周方向において複数に分割した分割ポール体３とし、分割ポール体３には、長手方向に延びる空洞部４が形成され、分割ポール体３は、長手方向の一方の側部に雄嵌合部３ａを有し、長手方向の他方の側部に雌嵌合部３ｂを有し、複数のうち一方の分割ポール体３の雄嵌合部３ａと、複数のうち他方の分割ポール体３の雌嵌合部３ｂとを、嵌合して組み立てる。【選択図】図１
2014163480.tif 000002
【特許請求の範囲】
【請求項１】
中空のポール本体を、周方向において複数に分割した分割ポール体とし、
前記分割ポール体には、長手方向に延びる空洞部が形成され、
前記分割ポール体は、
長手方向の一方の側部に雄嵌合部を有し、
長手方向の他方の側部に雌嵌合部を有し、
前記複数のうち一方の分割ポール体の雄嵌合部と、前記複数のうち他方の分割ポール体の雌嵌合部とを、嵌合して組み立てることを特徴とする組立式ポール。
【請求項２】
前記雄嵌合部は、
厚み方向の中央位置または内外方向にずれた位置に周方向に延びる連結リブを有し、内周側位置に周方向に延びる係合凸部を有し、
前記雌嵌合部は、
厚み方向の中央位置または内外方向にずれた位置に周方向に延びる連結リブを有し、内周側位置に周方向に延びる係合凹部を有し、
前記複数のうち一方の分割ポール体の前記雄嵌合部の連結リブと、前記複数のうち他方の分割ポール体の前記雌嵌合部の連結リブとを重ね合わせ、かつ係合凸部と係合凹部とを係合し、
前記重ね合わせた前記雄嵌合部の連結リブと前記雌嵌合部の連結リブとにリベット貫通孔を形成し、
前記リベット貫通孔にリベットを挿入して締結して組み立てることを特徴とする請求項１に記載の組立式ポール。
【請求項３】
前記雄嵌合部は、
厚み方向の中央位置または内外方向にずれた位置に周方向に延びる連結リブを有し、内周側位置に周方向に延びる係合凸部を有し、
前記雌嵌合部は、
厚み方向の中央位置または内外方向にずれた位置に周方向に延びる連結リブを有し、内周側位置に周方向に延びる係合凹部を有し、
前記複数のうち一方の分割ポール体の前記雄嵌合部の連結リブと、前記複数のうち他方の分割ポール体の前記雌嵌合部の連結リブとを重ね合わせ、かつ係合凸部と係合凹部とを係合し、
前記重ね合わせ部と前記係合部との間に形成される空洞を埋める棒材を挿入し、
前記重ね合わせた前記雄嵌合部の連結リブと前記雌嵌合部の連結リブとをカシメて締結して組み立てることを特徴とする請求項１に記載の組立式ポール。
【請求項４】
前記分割ポール体は、
長手方向の両方の側部に凹み部を有し、
前記複数のうち一方の分割ポール体の雄嵌合部と、前記複数のうち他方の分割ポール体の雌嵌合部とを嵌合して組み立てた状態で、前記凹み部同士により長手方向に延びる部材取付溝を形成し、
前記部材取付溝の所定位置に部材を取り付け、
前記部材にボルトによりアタッチメントを取付可能にしたことを特徴とする請求項１乃至請求項３のいずれか１項に記載の組立式ポール。
【請求項５】
前記分割ポール体は、
外側部に長手方向に延びる部材取付溝を形成し、
前記部材取付溝の所定位置に部材を取り付け、
前記部材にボルトによりアタッチメントを取付可能にしたことを特徴とする請求項１乃至請求項３のいずれか１項に記載の組立式ポール。
【請求項６】
複数に分割した少なくとも１個の分割ポール体は、外側部が平面であり、
両側部に長手方向に延びる部材取付溝を形成し、
前記部材取付溝の所定位置に部材を取り付け、
前記部材にボルトによりアタッチメントを取付可能にしたことを特徴とする請求項１乃至請求項３のいずれか１項に記載の組立式ポール。
【請求項７】
請求項１乃至請求項６のいずれか１項に記載の組立式ポールを複数用い、
前記複数の組立式ポールの径を変えて多段に伸縮可能とし、
外側に位置する組立式ポールは内径方向に突出するように付勢する位置決めストッパーを有し、
前記位置決めストッパーを、内側に位置する組立式ポールで外径方向へ押動するように組付け、
前記内側に位置する組立式ポールを前記外側に位置する組立式ポールに対して伸張させ、
前記内側に位置する組立式ポールの端部で前記位置決めストッパーの押動が解除されると、前記位置決めストッパーで前記内側に位置する組立式ポールの端部を止め、
前記内側に位置する組立式ポールと前記外側に位置する組立式ポールの端部との間に連結ブロックを差し込み、
さらに、前記連結ブロックと前記内側に位置する組立式ポールとの間に楔を差し込み、
前記楔を覆うように、前記内側に位置する組立式ポールと前記連結ブロックの端部との間をコーキング材でシールして組み付けることを特徴とする組立式ポールの組立方法。
【発明の詳細な説明】
【技術分野】
【０００１】
この発明は、アンテナ装置、広告看板など多目的に使用される組立式ポール及び組立式ポールの組立方法に関するものである。
【背景技術】
【０００２】
従来からポールは、アンテナ装置、広告看板、照明機器、観測機器、通信機器、時計台、風力発電機、太陽電池などの支柱として広く用いられている。例えば、災害時の情報提供を行うことができる道路交通システムに多機能ポールを用いたものがあり（特許文献１）、道路交通に関する緊急時にユーザ側から見て、利用し易いようにしている。また、例えば、配線用ポールとして、中空筒状の外筒体と、これに摺動可能に内挿される内挿体とからなり、外筒体に対する内挿体の摺動により、全長が調整可能になっているものがある（特許文献２）。
【先行技術文献】
【特許文献】
【０００３】
【特許文献１】特開平１１−２３２５９７号公報
【特許文献２】特開平１１−８９２４号公報
【発明の概要】
【発明が解決しようとする課題】
【０００４】
このように、ポールは、種々の目的で広く用いられているが、重量があるものを支持し、かつ所定の長さを有するために強度が要求される。しかも、ポールの製作工場から設置現場に自動車で搬送されているが、長く、重く、しかも嵩張り容易に運搬することができなかった。
【０００５】
この発明は、以上の問題点を解決するために、案出されたもので、軽量で、強度を有し、しかも嵩張らずに簡単に運搬することが可能な組立式ポール及び組立式ポールの組立方法を提供することを目的とする。
【課題を解決するための手段】
【０００６】
かかる課題を解決するために、この発明は、以下のように構成した。
【０００７】
請求項１に記載の発明は、中空のポール本体を、周方向において複数に分割した分割ポール体とし、
前記分割ポール体には、長手方向に延びる空洞部が形成され、
前記分割ポール体は、
長手方向の一方の側部に雄嵌合部を有し、
長手方向の他方の側部に雌嵌合部を有し、
前記複数のうち一方の分割ポール体の雄嵌合部と、前記複数のうち他方の分割ポール体の雌嵌合部とを、嵌合して組み立てることを特徴とする組立式ポールである。
【０００８】
請求項２に記載の発明は、前記雄嵌合部は、
厚み方向の中央位置または内外方向にずれた位置に周方向に延びる連結リブを有し、内周側位置に周方向に延びる係合凸部を有し、
前記雌嵌合部は、
厚み方向の中央位置または内外方向にずれた位置に周方向に延びる連結リブを有し、内周側位置に周方向に延びる係合凹部を有し、
前記複数のうち一方の分割ポール体の前記雄嵌合部の連結リブと、前記複数のうち他方の分割ポール体の前記雌嵌合部の連結リブとを重ね合わせ、かつ係合凸部と係合凹部とを係合し、
前記重ね合わせた前記雄嵌合部の連結リブと前記雌嵌合部の連結リブとにリベット貫通孔を形成し、
前記リベット貫通孔にリベットを挿入して締結して組み立てることを特徴とする請求項１に記載の組立式ポールである。
【０００９】
請求項３に記載の発明は、前記雄嵌合部は、
厚み方向の中央位置または内外方向にずれた位置に周方向に延びる連結リブを有し、内周側位置に周方向に延びる係合凸部を有し、
前記雌嵌合部は、
厚み方向の中央位置または内外方向にずれた位置に周方向に延びる連結リブを有し、内周側位置に周方向に延びる係合凹部を有し、
前記複数のうち一方の分割ポール体の前記雄嵌合部の連結リブと、前記複数のうち他方の分割ポール体の前記雌嵌合部の連結リブとを重ね合わせ、かつ係合凸部と係合凹部とを係合し、
前記重ね合わせ部と前記係合部との間に形成される空洞を埋める棒材を挿入し、
前記重ね合わせた前記雄嵌合部の連結リブと前記雌嵌合部の連結リブとをカシメて締結して組み立てることを特徴とする請求項１に記載の組立式ポールである。
【００１０】
請求項４に記載の発明は、前記分割ポール体は、
長手方向の両方の側部に凹み部を有し、
前記複数のうち一方の分割ポール体の雄嵌合部と、前記複数のうち他方の分割ポール体の雌嵌合部とを嵌合して組み立てた状態で、前記凹み部同士により長手方向に延びる部材取付溝を形成し、
前記部材取付溝の所定位置に部材を取り付け、
前記部材にボルトによりアタッチメントを取付可能にしたことを特徴とする請求項１乃至請求項３のいずれか１項に記載の組立式ポールである。
【００１１】
請求項５に記載の発明は、前記分割ポール体は、
外側部に長手方向に延びる部材取付溝を形成し、
前記部材取付溝の所定位置に部材を取り付け、
前記部材にボルトによりアタッチメントを取付可能にしたことを特徴とする請求項１乃至請求項３のいずれか１項に記載の組立式ポールである。
【００１２】
請求項６に記載の発明は、複数に分割した少なくとも１個の分割ポール体は、外側部が平面であり、
両側部に長手方向に延びる部材取付溝を形成し、
前記部材取付溝の所定位置に部材を取り付け、
前記部材にボルトによりアタッチメントを取付可能にしたことを特徴とする請求項１乃至請求項３のいずれか１項に記載の組立式ポールである。
【００１３】
請求項７に記載の発明は、請求項１乃至請求項６のいずれか１項に記載の組立式ポールを複数用い、
前記複数の組立式ポールの径を変えて多段に伸縮可能とし、
外側に位置する組立式ポールは内径方向に突出するように付勢する位置決めストッパーを有し、
前記位置決めストッパーを、内側に位置する組立式ポールで外径方向へ押動するように組付け、
前記内側に位置する組立式ポールを前記外側に位置する組立式ポールに対して伸張させ、
前記内側に位置する組立式ポールの端部で前記位置決めストッパーの押動が解除されると、前記位置決めストッパーで前記内側に位置する組立式ポールの端部を止め、
前記内側に位置する組立式ポールと前記外側に位置する組立式ポールの端部との間に連結ブロックを差し込み、
さらに、前記連結ブロックと前記内側に位置する組立式ポールとの間に楔を差し込み、
前記楔を覆うように、前記内側に位置する組立式ポールと前記連結ブロックの端部との間をコーキング材でシールして組み付けることを特徴とする組立式ポールの組立方法である。
【発明の効果】
【００１４】
前記構成により、この発明は、以下のような効果を有する。
【００１５】
請求項１に記載の発明では、中空のポール本体を、周方向において複数に分割した分割ポール体としたことで、嵩張らずに簡単に工場から設置場所に運搬することができる。また、複数のうち一方の分割ポール体の雄嵌合部と、複数のうち他方の分割ポール体の雌嵌合部とを、嵌合して簡単に組み立てることができ、かつ分割ポール体には、長手方向に延びる空洞部が形成されており、軽量で強固な構造である。
【００１６】
請求項２に記載の発明では、複数のうち一方の分割ポール体の雄嵌合部の連結リブと、複数のうち他方の分割ポール体の雌嵌合部の連結リブとを重ね合わせ、かつ係合凸部と係合凹部とを係合し、重ね合わせた雄嵌合部の連結リブと雌嵌合部の連結リブとにリベット貫通孔を形成し、リベット貫通孔にリベットを挿入して締結することで、簡単、かつ強固に組み立てることができる。
【００１７】
請求項３に記載の発明では、複数のうち一方の分割ポール体の雄嵌合部の連結リブと、複数のうち他方の分割ポール体の雌嵌合部の連結リブとを重ね合わせ、かつ係合凸部と係合凹部とを係合し、重ね合わせ部と係合部との間に形成される空洞を埋める棒材を挿入し、重ね合わせた前記雄嵌合部の連結リブと雌嵌合部の連結リブとをカシメて締結することで、簡単、かつ強固に組み立てることができる。
【００１８】
請求項４に記載の発明では、分割ポール体は、長手方向の両方の側部に凹み部を有し、複数のうち一方の分割ポール体の雄嵌合部と、複数のうち他方の分割ポール体の雌嵌合部とを嵌合して組み立てた状態で、凹み部同士により長手方向に延びる部材取付溝を形成し、部材取付溝の所定位置に部材を取り付けることで、アタッチメントを簡単、かつ確実に取付けることができる。
【００１９】
請求項５に記載の発明では、分割ポール体は、外側部に長手方向に延びる部材取付溝を形成し、部材取付溝の所定位置に部材を取り付けることで、アタッチメントを簡単、かつ確実に取付けることができる。
【００２０】
請求項６に記載の発明では、複数に分割した少なくとも１個の分割ポール体は、外側部が平面であり、両側部に長手方向に延びる部材取付溝を形成し、部材取付溝の所定位置に部材を取り付けることで、アタッチメントを簡単、かつ確実に取付けることができる。
【００２１】
請求項７に記載の発明では、請求項１乃至請求項６のいずれか１項に記載の組立式ポールを複数用い、複数の組立式ポールの径を変えて多段に伸縮可能とし、軽量で、強度を有し、しかも嵩張らずに簡単に運搬することが可能な組立式ポールを簡単に組立てることができる。
【図面の簡単な説明】
【００２２】
【図１】組立式ポールの平面図である。
【図２】分割ポール体の平面図である。
【図３】分割ポール体をリベットで連結する構成を説明する図である。
【図４】分割ポール体をカシメで連結する構成を説明する図である。
【図５】分割ポール体にアタッチメントを取り付ける断面図である。
【図６】分割ポール体に溝カバーを取り付けた状態の断面図である。
【図７】部材の第１の実施の形態を示す図である。
【図８】部材の第２の実施の形態を示す図である。
【図９】組立式ポールの平面図である。
【図１０】分割ポール体の平面図である。
【図１１】分割ポール体にアタッチメントを取付可能にする構成の平面図である。
【図１２】蓋体の平面図である。
【図１３】組立式ポールの平面図である。
【図１４】分割ポール体の平面図である。
【図１５】四角形状の組立式ポールの分割ポール体の平面図である。
【図１６】八角形状の組立式ポールの分割ポール体の平面図である。
【図１７】第１段目と第２段目とのポール組立を示す縦断面図である。
【図１８】第１段目と第２段目の連結ブロックの組付け状態を示す平面図である。
【図１９】図１８のＸＩＸ−ＸＩＸ線に沿う断面図である。
【図２０】図１８のＸＸ−ＸＸ線に沿う断面図である。
【図２１】第２段目と第３段目とのポール組立を示す縦断面図である。
【図２２】第２段目と第３段目との連結部の横断面図である。
【図２３】連結ブロックの固定部の断面図である。
【図２４】連結ブロックの組付け部の断面図である。
【図２５】第３段目の頂部の縦断面図である。
【図２６】組立式ポールの利用例を示す図である。
【発明を実施するための形態】
【００２３】
以下、この発明の組立式ポール及び組立式ポールの組立方法の実施の形態について説明する。この発明の実施の形態は、発明の最も好ましい形態を示すものであり、この発明はこれに限定されない。
【００２４】
［組立式ポールの構成］
（第１の実施の形態）
この実施の形態の組立式ポールを、図１乃至図８に基づいて説明する。図１は組立式ポールの平面図、図２は分割ポール体の平面図、図３は分割ポール体をリベットで連結する構成を説明する図、図４は分割ポール体をカシメで連結する構成を説明する図、図５は分割ポール体にアタッチメントを取り付ける断面図、図６は分割ポール体に溝カバーを取り付けた状態の断面図、図７は部材の第１の実施の形態を示す図、図８は部材の第２の実施の形態を示す図である。
【００２５】
この実施の形態の組立式ポール１は、中空のポール本体２を、周方向において４個の複数に分割した分割ポール体３としている。この分割ポール体３は、アルミニウムを押し出し成形したものであり、分割ポール体３には、長手方向に延びる２個の空洞部８が隔壁８ａによって区画されて形成されている。
【００２６】
この分割ポール体３は、長手方向の一方の側部に雄嵌合部３ａを有し、長手方向の他方の側部に雌嵌合部３ｂを有し、４個の複数のうち一方の分割ポール体３の雄嵌合部３ａと、複数のうち他方の分割ポール体３の雌嵌合部３ｂとを、嵌合して組み立てる。
【００２７】
雄嵌合部３ａは、厚み方向の中央位置に周方向に延びる連結リブ３ａ１を有し、内周側位置に周方向に延びる係合凸部３ａ２を有する。この実施の形態では、厚み方向の中央位置に連結リブ３ａ１が形成されているが、中央位置にから内外方向にずれた位置に形成してもよい。連結リブ３ａ１は、直線状に延び、中央部３ａ１１が凹み薄肉になっている。係合凸部３ａ２は、先端部３ａ２１が連結リブ３ａ１の方向に曲がっている。この連結リブ３ａ１と係合凸部３ａ２との間に、凹み部３ａ３が形成される。
【００２８】
雌嵌合部３ｂは、厚み方向の中央位置に周方向に延びる連結リブ３ｂ１を有し、内周側位置に周方向に延びる係合凹部３ｂ２を有する。この実施の形態では、厚み方向の中央位置に連結リブ３ｂ１が形成されているが、中央位置にから内外方向にずれた位置に形成してもよい。連結リブ３ｂ１は、直線状に延び、中央部３ｂ１１が凸で薄厚になっている。係合凹部３ｂ２は、先端部３ｂ２１が内周方向に開口している。この連結リブ３ｂ１と係合凹部３ｂ２との間に、凹み部３ｂ３が形成される。
【００２９】
また、分割ポール体３は、長手方向の両方の側部に凹み部３ｅ，３ｆを有し、この凹み部３ｅは雄嵌合部３ａ側に形成され、凹み部３ｆは雌嵌合部３ｂ側に形成されている。凹み部３ｅには長手方向に延びる突起３ｅ１が形成され、凹み部３ｆには長手方向に延びる突起３ｆ１が形成されている。また、分割ポール体３の外側部には、長手方向に延びる部材取付溝３ｋと溝カバー取付溝３ｌが、突条３ｍ，３ｎによって形成されている。
【００３０】
また、分割ポール体３は、長手方向の両方の側部に締め付け部材を螺着する取付部３ｏ，３ｐが形成されている。
【００３１】
この分割ポール体３を用いて組立式ポール１を組み立てるが、リベットで連結する構成と、カシメで連結する構成がある。
【００３２】
分割ポール体３をリベットで連結する構成を、図３に基づいて説明する。複数のうち一方の分割ポール体３の雄嵌合部３ａの連結リブ３ａ１と、複数のうち他方の分割ポール体３の雌嵌合部３ｂの連結リブ３ｂ１とを重ね合わせ、かつ係合凸部３ａ２と係合凹部３ｂ２とを係合する（図３（ａ），（ｂ））。重ね合わせた雄嵌合部３ａの連結リブ３ａ１と雌嵌合部３ｂの連結リブ３ｂ１とにドリル１００によって連結リブ３ａ１にリベット貫通孔３ｃ１を、連結リブ３ｂ１にリベット貫通孔３ｃ２を形成する（図３（ｃ））。そして、リベット貫通孔３ｃ１，３ｃ２にブラインドリベット１０１を挿入し（図３（ｄ））、雄嵌合部３ａの連結リブ３ａ１と雌嵌合部３ｂの連結リブ３ｂ１とをブラインドリベット１０１によって締結して組み立てる（図３（ｅ））。図１において、分割ポール体３の４個の組付けは、リベットで固定する前に４個の分割ポール体３を内管治具上でセットし、分割ポール体３の４個を図３（ａ），（ｂ）に示すようにプリセントしてから、図３（ｃ）〜（ｅ）に示すようにリベットを打って固定する。
【００３３】
このように、重ね合わせた雄嵌合部３ａの連結リブ３ａ１と雌嵌合部３ｂの連結リブ３ｂ１とにリベット貫通孔３ｃ１，３ｃ２を長手方向に所定間隔で形成し、それぞれのリベット貫通孔３ｃ１，３ｃ２にブラインドリベット１０１を挿入して締結することで、簡単、かつ強固に組み立てることができる。
【００３４】
分割ポール体３をカシメで連結する構成を、図４に基づいて説明する。複数のうち一方の分割ポール体３の雄嵌合部３ａの連結リブ３ａ１と、複数のうち他方の分割ポール体３の雌嵌合部３ｂの連結リブ３ｂ１とを重ね合わせ、かつ係合凸部３ａ２と係合凹部３ｂ２とを係合する（図４（ａ），（ｂ））。この重ね合わせ部と係合部との間に形成される空洞３ｄを埋める棒材１０２を挿入し（図４（ｃ））、係合部をダイ１０３に当てがい、重ね合わせ部側から重ね合わせた雄嵌合部３ａの連結リブ３ａ１と雌嵌合部３ｂの連結リブ３ｂ１とをパンチ１０４によりカシメて締結して組み立てる（図４（ｄ））。棒材１０２は、カシメ溝１０２ａと係合溝１０２ｂが形成されており、空洞３ｄに隙間なく挿入され、パンチ１０４のパンチングにより雄嵌合部３ａの連結リブ３ａ１と雌嵌合部３ｂの連結リブ３ｂ１がカシメ溝１０２ａに入り込みカシメられる。リベットで連結する構成と同様に、図１において、分割ポール体３の４個の組付けは、カシメて固定する前に４個の分割ポール体３を内管治具上でセットし、分割ポール体３の４個を図４（ａ），（ｂ）に示すようにプリセントしてから、図４（ｃ），（ｄ）に示すようにカシメて固定する。
【００３５】
このように、重ね合わせ部と係合部との間に形成される空洞３ｄを埋める棒材１０２を挿入し、重ね合わせた雄嵌合部３ａの連結リブ３ａ１と雌嵌合部３ｂの連結リブ３ｂ１とをパンチ１０４により所定間隔で連続してパンチングしてカシメて締結することで、短時間に簡単、かつ強固に組み立てることができる。この実施の形態では、パンチ１０４によりカシメているが、カシメの方法はパンリングによるカシメに限定されず、加圧ローラでの連続プレスによっても可能である。
【００３６】
複数のうち一方の分割ポール体３の雄嵌合部３ａと、複数のうち他方の分割ポール体３の雌嵌合部３ｂとを嵌合して組み立てた状態で、凹み部３ｅの突起３ｅ１と凹み部３ｆの突起３ｆ１とにより長手方向に延びる部材取付溝３ｇと溝カバー取付溝３ｈが形成される。部材取付溝３ｇの所定位置に部材を取り付ける。この実施の形態としては、部材としてナット部材１０を用いており、このナット部材１０にボルト１１によりアタッチメント１２を取付可能にする。このように、ナット部材１０によりアタッチメント１２を簡単、かつ確実に取付けることができる。
【００３７】
ナット部材１０を取り付けた部分以外では、溝カバー取付溝３ｈに溝カバー１３を係合可能とし、アタッチメント１２を取り付けた以外の部分は、溝カバー１３によって塞ぐために体裁がよい。
【００３８】
また、分割ポール体３の外側部に、長手方向に延びる部材取付溝３ｋと溝カバー取付溝３ｌが形成されており、この部材取付溝３ｋの所定位置にナット部材１０を取り付け、このナット部材１０にボルト１１によりアタッチメント１２を取付可能にし、ナット部材１０を取り付けた部分以外の溝カバー取付溝３ｌに溝カバー１３を係合可能にすることができる（図５，図６）。
【００３９】
ナット部材１０を部材取付溝３ｇや部材取付溝３ｋに取り付ける構造は、分割ポール体３の端部から挿入してもよいし、所定位置に形成された広幅部分からナット部材１０を挿入して取付ける。溝カバー１３を溝カバー取付溝３ｈや溝カバー取付溝３ｌに係合する構造は、溝カバー１３を弾性を有する部材で形成し、係合脚部を曲げて挿入して係合する。
【００４０】
ナット部材１０は、図７に示すように、部材取付溝に沿って延びるナットピースで構成され、左右に部材取付溝に係合するガイド部１０ａ１を有し、ねじ孔１０ａ２とビス孔１０ａ３が形成されており、ビス孔１０ａ３にビスをねじ込んでナット部材１０を位置決めし、ねじ孔１０ａ２にボルト１１を螺着してアタッチメント１２の取付とナット部材１０の固定を行う。
【００４１】
また、ナット部材１０は、図８に示すように、部材取付溝に係合する形状の四角ナットで構成され、ねじ孔１０ａ４が形成されており、ねじ孔１０ａ４にボルト１１を螺着してアタッチメント１２の取付とナット部材１０の固定を行う。
【００４２】
このように、中空のポール本体２を、周方向において複数に分割した分割ポール体３としたことで、嵩張らずに簡単に工場から設置場所に運搬することができる。また、複数のうち一方の分割ポール体３の雄嵌合部３ａと、複数のうち他方の分割ポール体３の雌嵌合部３ｂとを、嵌合して簡単に組み立てることができ、かつ分割ポール体３には、長手方向に延びる空洞部８が形成されており、軽量で強固な構造である。また、空洞部８には、配線や発泡材などを配置することができ、組立式ポール１の使用例に応じて利用することができる。
【００４３】
（第２の実施の形態）
この実施の形態を、図９乃至図１２に基づいて説明する。図９は組立式ポールの平面図、図１０は分割ポール体の平面図、図１１は分割ポール体にアタッチメントを取付可能にする構成の平面図、図１２は蓋体の平面図である。
【００４４】
複数に分割した少なくとも１個の分割ポール体４は、板状に形成され、外側部が平面である。この分割ポール体４は、長手方向の一方の側部に雄嵌合部４ａを有し、長手方向の他方の側部に雌嵌合部４ｂを有し、他の複数の分割ポール体３は、第１の実施の形態のように構成され、同じ符号を付して説明を省略する。
【００４５】
雄嵌合部４ａは、厚み方向の中央位置に周方向に延びる連結リブ４ａ１を有し、内周側位置に周方向に延びる係合凸部４ａ２を有する。この実施の形態では、厚み方向の中央位置に連結リブ４ａ１が形成されているが、中央位置にから内外方向にずれた位置に形成してもよい。連結リブ４ａ１は、直線状に延び、中央部４ａ１１が凹み薄肉になっている。係合凸部４ａ２は、先端部４ａ２１が連結リブ４ａ１の方向に曲がっている。この連結リブ４ａ１と係合凸部４ａ２との間に、凹み部４ａ３が形成される。
【００４６】
雌嵌合部４ｂは、厚み方向の中央位置に周方向に延びる連結リブ４ｂ１を有し、内周側位置に周方向に延びる係合凹部４ｂ２を有する。この実施の形態では、厚み方向の中央位置に連結リブ４ｂ１が形成されているが、中央位置にから内外方向にずれた位置に形成してもよい。連結リブ４ｂ１は、直線状に延び、中央部４ｂ１１が凸で薄厚になっている。係合凹部４ｂ２は、先端部４ｂ２１が内周方向に開口している。この連結リブ４ｂ１と係合凹部４ｂ２との間に、凹み部４ｂ３が形成される。
【００４７】
分割ポール体４は、長手方向の両方の側部に凹み部４ｅ，４ｆを有し、凹み部４ｅは雄嵌合部４ａ側に形成され、凹み部４ｆは雌嵌合部４ｂ側に形成されている。凹み部４ｅには長手方向に延びる突起４ｅ１が形成され、凹み部４ｆには長手方向に延びる突起４ｆ１が形成されている。
【００４８】
また、分割ポール体４の両側部には、長手方向に延びる部材取付溝４ｋと溝カバー取付溝４ｌが、突条４ｍ，４ｎによって形成されている。また、分割ポール体４は、長手方向の両方の側部に締め付け部材を螺着する取付部４ｏ，４ｐが形成されている。
【００４９】
分割ポール体４をリベットで分割ポール体３に連結する構成は、図３において説明した通りであり、分割ポール体４をカシメで分割ポール体３に連結する構成は、図４において説明した通りであるから説明を省略する。
【００５０】
分割ポール体４の雄嵌合部４ａと、複数のうち他方の分割ポール体３の雌嵌合部３ｂとを嵌合して組み立てた状態で、凹み部４ｅの突起４ｅ１と凹み部３ｆの突起３ｆ１とにより長手方向に延びる部材取付溝４ｇと溝カバー取付溝４ｈが形成され、第１の実施の形態と同様にアタッチメント１２を取付可能にし、溝カバー１３を係合可能としている。
【００５１】
分割ポール体４の両端部には、蓋体５を当てがい、スクリュウビス６によって固定する。スクリュウビス６の先端部は、分割ポール体４の両端部において両側部に形成されている取付部４ｏ，４ｐにねじ込み固定される。
【００５２】
このように、分割ポール体４は、外側部に長手方向に延びる部材取付溝４ｋを形成し、部材取付溝４ｋの所定位置に部材としてナット部材１０を取り付けることで、アタッチメント１２を簡単、かつ確実に取付けることができる。
【００５３】
（第３の実施の形態）
この実施の形態を、図１３及び図１４に基づいて説明する。図１３は組立式ポールの平面図、図１４は分割ポール体の平面図である。複数に分割した２個の分割ポール体７は、板状に形成され、外側部が平面である。この分割ポール体７は、平面において長手方向の一方の側部に雄嵌合部７ａを有し、長手方向の他方の側部に雌嵌合部７ｂを有し、他の複数の分割ポール体３は、第１の実施の形態のように構成され、同じ符号を付して説明を省略する。
【００５４】
雄嵌合部７ａは、厚み方向の中央位置に周方向に延びる連結リブ７ａ１を有し、内周側位置に周方向に延びる係合凸部７ａ２を有する。この実施の形態では、厚み方向の中央位置に連結リブ７ａ１が形成されているが、中央位置にから内外方向にずれた位置に形成してもよい。連結リブ７ａ１は、直線状に延び、中央部７ａ１１が凹み薄肉になっている。係合凸部７ａ２は、先端部７ａ２１が連結リブ７ａ１の方向に曲がっている。この連結リブ７ａ１と係合凸部７ａ２との間に、凹み部７ａ３が形成される。
【００５５】
雌嵌合部７ｂは、厚み方向の中央位置に周方向に延びる連結リブ７ｂ１を有し、内周側位置に周方向に延びる係合凹部７ｂ２を有する。この実施の形態では、厚み方向の中央位置に連結リブ７ｂ１が形成されているが、中央位置にから内外方向にずれた位置に形成してもよい。連結リブ７ｂ１は、直線状に延び、中央部７ｂ１１が凸で薄厚になっている。係合凹部７ｂ２は、先端部７ｂ２１が内周方向に開口している。この連結リブ７ｂ１と係合凹部７ｂ２との間に、凹み部７ｂ３が形成される。
【００５６】
分割ポール体７は、長手方向の両方の側部に凹み部７ｅ，７ｆを有し、凹み部７ｅは雄嵌合部７ａ側に形成され、凹み部７ｆは雌嵌合部７ｂ側に形成されている。凹み部７ｅには長手方向に延びる突起７ｅ１が形成され、凹み部７ｆには長手方向に延びる突起７ｆ１が形成されている。
【００５７】
分割ポール体７をリベットで分割ポール体３に連結する構成は、図３において説明した通りであり、分割ポール体７をカシメで分割ポール体３に連結する構成は、図４において説明した通りであり、説明を省略する。
【００５８】
分割ポール体７の雄嵌合部７ａと、複数のうち他方の分割ポール体３の雌嵌合部３ｂとを嵌合して組み立てた状態で、凹み部７ｅの突起７ｅ１と凹み部３ｆの突起３ｆ１とにより長手方向に延びる部材取付溝７ｇと溝カバー取付溝７ｈが形成され、第１の実施の形態と同様にアタッチメント１２を取付可能にし、溝カバー１３を係合可能としている。
【００５９】
このように、複数に分割した少なくとも１個の分割ポール体７は、外側部が平面であり、両側部に長手方向に延びる部材取付溝７ｇと溝カバー取付溝７ｈを形成し、アタッチメント１２を簡単、かつ確実に取付けることができる。
【００６０】
（第４の実施の形態）
この実施の形態は、円形状以外の組立式ポールの分割ポールを示し、図１５は四角形状の組立式ポールの分割ポール体の平面図、図１６は八角形状の組立式ポールの分割ポール体の平面図である。
【００６１】
図１５の実施の形態では、４個の分割ポール体７０を組み立てて四角形状の組立式ポールとし、分割ポール体７０は、平面において長手方向の一方の側部に雄嵌合部７０ａを有し、長手方向の他方の側部に雌嵌合部７０ｂを有し、この雄嵌合部７０ａ及び雌嵌合部７０ｂは、第１乃至第３の実施の形態と同様に形成される。
【００６２】
また、分割ポール体７０は、長手方向の両方の側部に凹み部７０ｅ，７０ｆを有し、この凹み部７０ｅ及び凹み部７０ｆも第１乃至第３の実施の形態と同様に形成される。分割ポール体７０をリベットで連結する構成は、図３において説明した通りであり、分割ポール体７０をカシメで連結する構成は、図４において説明した通りであり、説明を省略する。
【００６３】
図１６の実施の形態では、４個の分割ポール体８０を組み立てては八角形状の組立式ポールとし、分割ポール体８０は、平面において長手方向の一方の側部に雄嵌合部８０ａを有し、長手方向の他方の側部に雌嵌合部８０ｂを有し、この雄嵌合部８０ａ及び雌嵌合部８０ｂは、第１乃至第３の実施の形態と同様に形成される。
【００６４】
また、分割ポール体８０は、長手方向の両方の側部に凹み部８０ｅ，８０ｆを有し、この凹み部８０ｅ及び凹み部８０ｆも第１乃至第３の実施の形態と同様に形成される。分割ポール体８０をリベットで連結する構成は、図３において説明した通りであり、分割ポール体７０をカシメで連結する構成は、図４において説明した通りであり、説明を省略する。
【００６５】
［組立式ポールの組立方法の構成］
この実施の形態の組立式ポールの組立方法を、図１７乃至図２５に基づいて説明する。図１７は第１段目と第２段目とのポール組立を示す縦断面図、図１８は第１段目と第２段目の連結ブロックの組付け状態を示す平面図、図１９は図１８のＸＩＸ−ＸＩＸ線に沿う断面図、図２０は図１８のＸＸ−ＸＸ線に沿う断面図、図２１は第２段目と第３段目とのポール組立を示す縦断面図、図２２は第２段目と第３段目との連結部の横断面図、図２３は連結ブロックの固定部の断面図、図２４は連結ブロックの組付け部の断面図、図２５は第３段目の頂部の縦断面図である。
【００６６】
この実施の形態の組立式ポールの組立方法では、第１の実施の形態の組立式ポールを３個の複数用いているが、これに限定されず２個でも、４個でもよく複数用い、複数の組立式ポール１の径を変えて多段に伸縮可能にする。
【００６７】
まず、第１段目と第２段目とのポール組立は、図１７に示すように、外側に位置する第１段目の組立式ポール１Ａは内径方向に突出するように付勢する位置決めストッパー２０を有し、この位置決めストッパー２０を、内側に位置する第２段目の組立式ポール１Ｂで外径方向へ押動するように組付ける。
【００６８】
また、第１段目のポール組立１Ａの頂部に、図１８乃至図２０に示すように、連結ブロック２１を固定する。この連結ブロック２１は、一対の内側挿入部２１ａ、外側挿入部２１ｂ、中間挿入部２１ｃを有し、第１段目のポール組立１Ａの分割ポール体３を連結した部分において、上方位置から差し込み、スクリュウねじ２２を連結ブロック２１から分割ポール体３の端部にねじ込んで固定する。分割ポール体３の空洞部８に、外側挿入部２１ｂと中間挿入部２１ｃが挿入され、かつ内側挿入部２１ａと中間挿入部２１ｃによって空洞部８を形成する内側壁が挟まれることで、分割ポール体３の連結部が補強される。
【００６９】
次に、内側に位置する第２段目の組立式ポール１Ｂを外側に位置する第１段目の組立式ポール１Ａに対して伸張させ、内側に位置する第２段目の組立式ポール１Ｂの下端部まで伸ばすと、位置決めストッパー２０が下端部から外れて押動が解除される。これにより、位置決めストッパー２０で内側に位置する第２段目の組立式ポール１Ｂの端部を止めすることができる。
【００７０】
この状態で、連結ブロック２１と内側に位置する第２段目の組立式ポール１Ｂとの間に楔２３を差し込み、楔２３を覆うように、内側に位置する第２段目の組立式ポール１Ｂと連結ブロック２１の端部との間をコーキング材２４でシールして組み付ける。
【００７１】
第２段目と第３段目とのポール組立は、図２１乃至図２５に示すように、内側に位置する第３段目の組立式ポール１Ｃを外側に位置する第２段目の組立式ポール１Ｂに対して伸張させる。第２段目の組立式ポール１Ｂの頂部に、連結ブロック３１の挿入部３１ａを第２段目の組立式ポール１Ｂに差し込み、スクリュウねじ３２を連結ブロック３１から第２段目の組立式ポール１Ｂの端部にねじ込んで固定し、かつボルト３５を連結ブロック３１から第２段目の組立式ポール１の端部にねじ込んで固定する。
【００７２】
さらに、連結ブロック３１と内側に位置する第３段目の組立式ポール１との間に楔３３を差し込み、楔３３を覆うように、内側に位置する第３段目の組立式ポール１と連結ブロック３１の端部との間をコーキング材３４でシールして組み付ける。
【００７３】
第３段目の組立式ポール１の頂部に連結ブロック４０を載せ、この連結ブロック４０の上にキャップ４１を載せ、取付ボルト４２をキャップ４１から連結ブロック４０に挿通して第３段目の組立式ポール１の頂部にねじ込んで固定する。
【００７４】
［組立式ポールの利用例］
この実施の形態の利用例を、図２６に基づいて説明する。図２６（ａ）は風力発電機の支柱、図２６（ｂ）は照明機器の支柱、図２６（ｃ）は時計台の支柱、図２６（ｄ）は看板の支柱、図２６（ｅ）はアンテナ装置の支柱、図２６（ｆ）はサイン表示の支柱、図２６（ｇ）はネットの支柱であるが、これに限定されず測定機器の支柱など種々な用途に用いられる。
【００７５】
このように、組立式ポールを複数用い、複数の組立式ポールの径を変えて多段に伸縮可能にとし、軽量で、強度を有し、しかも嵩張らずに簡単に運搬することが可能な組立式ポールを簡単に組立てることができる。
【産業上の利用可能性】
【００７６】
この発明は、アンテナ装置、広告看板など多目的に使用される組立式ポール及び組立式ポールの組立方法に適用され、軽量で、強度を有し、しかも嵩張らずに簡単に運搬することが可能である。
【符号の説明】
【００７７】
１  組立式ポール
２  ポール本体
３  分割ポール体
３ａ  雄嵌合部
３ａ１  連結リブ
３ａ２  係合凸部
３ａ３  凹み部
３ｂ  雌嵌合部
３ｂ１  連結リブ
３ｂ２  係合凹部
３ｂ３  凹み部
３ｅ，３ｆ  凹み部
３ｇ  部材取付溝
３ｈ  溝カバー取付溝
３ｋ  部材取付溝
３ｌ  溝カバー取付溝
４  分割ポール体
４ａ  雄嵌合部
４ａ１  連結リブ
４ａ２  係合凸部
４ａ３  凹み部
４ｂ  雌嵌合部
４ｂ１  連結リブ
４ｂ２  係合凹部
４ｂ３  凹み部
７  分割ポール体
７ａ  雄嵌合部
７ａ１  連結リブ
７ａ２  係合凸部
７ａ３  凹み部
７ｂ  雌嵌合部
７ｂ１  連結リブ
７ｂ２  係合凹部
７ｂ３  凹み部
７ｅ，７ｆ  凹み部
８  空洞部
８ａ  隔壁
１０  ナット部材
１２  アタッチメント
１３  溝カバー
２０  位置決めストッパー
２１，３１  連結ブロック
２２，３２  スクリュウねじ
２３，３３  楔
２４，３４  コーキング材
１００  ドリル
１０１  ブラインドリベット
１０２  棒材
１０４  パンチ
【図１】
2014163480.tif 000003
【図２】
2014163480.tif 000004
【図３】
2014163480.tif 000005
【図４】
2014163480.tif 000006
【図５】
2014163480.tif 000007
【図６】
2014163480.tif 000008
【図７】
2014163480.tif 000009
【図８】
2014163480.tif 000010
【図９】
2014163480.tif 000011
【図１０】
2014163480.tif 000012
【図１１】
2014163480.tif 000013
【図１２】
2014163480.tif 000014
【図１３】
2014163480.tif 000015
【図１４】
2014163480.tif 000016
【図１５】
2014163480.tif 000017
【図１６】
2014163480.tif 000018
【図１７】
2014163480.tif 000019
【図１８】
2014163480.tif 000020
【図１９】
2014163480.tif 000021
【図２０】
2014163480.tif 000022
【図２１】
2014163480.tif 000023
【図２２】
2014163480.tif 000024
【図２３】
2014163480.tif 000025
【図２４】
2014163480.tif 000026
【図２５】
2014163480.tif 000027
【図２６】
2014163480.tif 000028